Podtech/llm-jp-corpus-v4-ja_patent huggingface dataset:
(57)【要約】【課題】  ハトはベランダ等に住みつき、糞をして汚すことがある。ハトはベランダ等のサンなどの比較的細い形状の箇所にとまることが多い。サンにワイヤーなどの細い線状のものを張ると効果があるが、ベランダのサンには洗濯物などを干すときには障害となる。本発明は、この課題を解消するためになされたものである。【解決手段】  ハトがベランダのサン等にとまることを防止するためにはワイヤーなどの細い線状のものを張ると効果がある。ベランダのサンに取り付けるときにはサンの幅に合わせる必要がある。取り付ける部分にネジ（１）を利用することでサンの幅に合わせて左右の調整ができる。また、ネジ（１）であることから取り付け、取り外しが簡単である。  次にサン上のワイヤーなどを張るささえの位置は、サンにハトがとまれる程度の広さがあるとハトを防止することができない。このことからサンの幅に合わせて左右の調整をネジ（２）で行う。（３）はワイヤーを付ける場所である。【選択図】図１
2006129855.tif 000002
【特許請求の範囲】
【請求項１】
サンに取り付ける部分とサンの上のワイヤー等を張る部分にネジを利用して、取り付け、取り外しが自由にできて、サンの幅に合わせて位置が調整できることを特徴としたワイヤー等を張るささえ棒。
【発明の詳細な説明】
【技術分野】
【０００１】  本発明はハトがとまれないようにベランダ等に張ったワイヤーなどの細い線状のものを固定するささえである。このささえは取り付け、取り外しが簡単にできて、サンの幅に合わせて位置の調整ができるものである。
【技術背景】
【０００２】  ワイヤーなどの細い線状のものを固定するささえで、簡単に取り付け、取り外しが可能で、サンの幅に合わせて位置が調整できるものは従来なかった。
【発明の開示】
【発明が解決しようとする課題】
【０００３】  ハトはベランダ等に住みつき、糞をして汚すことがある。ハトはベランダ等のサンなどの比較的細い形状の箇所にとまることが多い。サンにワイヤーなどの細い線状のものを張ると効果があるが、ベランダのサンには洗濯物などを干すときには障害となる。本発明は、この課題を解消するためになされたものである。
【課題を解決するための手段】
【０００４】  ハトがベランダのサン等にとまることを防止するためにはワイヤーなどの細い線状のものを張ると効果がある。
ベランダのサンに取り付けるときにはサンの幅に合わせる必要がある。取り付ける部分にネジ（１）を利用することでサンの幅に合わせて左右の調整ができる。また、ネジ（１）であることから取り付け、取り外しが簡単である。次にサン上のワイヤーなどを張るささえの位置は、サンにハトがとまれる程度の広さがあるとハトを防止することができない。このことからサンの幅左右の調整をネジ（２）で行う。なお、（３）はワイヤーの取り付け位置である。
【発明の効果】
【０００５】ハトがベランダ等に止まることを防止するためのワイヤーなどを固定するささえの発明の実施の形態について説明する。
ア，ベランダのサンは布団や洗濯物を干すときがある。
この発明ではネジを利用して、簡単に取り外しが可能である。
イ，サンに固定するときにはサンの幅に合わせて自由に調整ができる。
サン上のワイヤーなどを張るささえの位置はサンの幅に合わせて自由に調整ができる    。
ウ，軽量であるため出し入れ等の持ち運びが便利である。
【図面の簡単な説明】
【０００６】
【図１】本発明の図面である。
【図１】
2006129855.tif 000003
(57)【要約】【課題】      クワガタ虫などの餌として小型容器入りゼリーを与える事が広く行われているが、飼育数が多くなると容器のフィルム状の蓋を切ったりはがしたりするのも手が汚れて不快な上、手間になり、またこうした容器をそのまま転がしておいたり、穴を穿っただけの一般的な餌台に置くだけでは、中の昆虫に転がされ、中身が無駄にこぼれるという不都合が頻繁に生じていた。【解決手段】  ゼリー容器のフィルム状の蓋を切る為の鋭利な刃物状突起を外周に配した穴を備えた上部と、ゼリー容器を保持する穴を備えた下部から構成される餌台で、蝶番を中心として上部を閉める事により容器の蓋が切り取られ、上からこれを昆虫が食する事が可能になると同時に上部と下部は端部の爪によって一体となり、容器が固定される。餌替え時の手間を軽減し、容器が転がされて中身が無駄にこぼれる事が防止できる。【選択図】    図２
2006129860.tif 000002
【特許請求の範囲】
【請求項１】
容器に納められた物質を容器ごと保持する穴を設けた下部と、容器の蓋を切る為の刃を外周に配した穴を備えた上部からなり、蓋を切断すると共に上部は下部と一体となって容器を固定し、なおかつ上部の穴を通して容器内部の物質が利用可能となる事を特徴とした装置。
【請求項２】
ゼリー状物質を納めた小型のプリンカップ状容器の、フィルム状の蓋を切り、同時に固定する請求項１に記載の餌台。
【請求項３】
該本体表面に、細かい凹凸又は穴を多数配した請求項１及び２に記載の餌台。
【請求項４】
該本体上部及び下部の一端は蝶番、反対側は爪となっている請求項１ないし３に記載の餌台。
【発明の詳細な説明】
【技術分野】
【０００１】  本発明は、物質を封入した容器の蓋を切り、その容器を固定する台に関するものである。【０００２】  昆虫などに給餌する事を目的としたゼリー状物質は、直径３ｃｍから８ｃｍ、高さ３ｃｍ程度のプリンカップ状の薄いプラスチック容器に封入され、フィルム状の蓋を貼り付けてあるものが広く普及している。本発明は、ゼリー状物質を封入した容器を台に固定し、同時にそのフィルム状の蓋に切りこみを入れる道具である。これにより、昆虫などがこれを食する事が可能となると同時に容器が固定され、無駄にこぼれる事が防止できる。
【背景技術】
【０００３】  従来、昆虫用餌ゼリーの容器などはそのフィルム状の蓋を手ではがす、又は金属の刃物等で切断した上で、台のくぼみ又は穴に置くだけであった。
【発明の開示】
【発明が解決しようとする課題】
【０００４】  従来、容器入り餌ゼリーは昆虫などに与える前にそのフィルム状の蓋にカッター等で切り込みを入れたり、これをひとつひとつ手ではがして与えていたため、数が多くなると手を汚してしまって不愉快な上に手間であった。又、餌台を使用しない場合や、従来の餌台に単に置かれている餌ゼリーは、昆虫などがひっくり返してしまうので、内容物が外にこぼれてしまう不都合が頻繁に生じていた。【０００５】  本発明は、容器入りのゼリーなどを置き上部を閉める事により、簡単にその容器のフィルム状の蓋を切ることを可能にし、かつ内容物が昆虫などによってひっくり返さない様にこの容器を固定するものである。
【課題を解決するための手段】
【０００６】  図面によって説明すれば、該本体上部１の下側には容器の蓋に切り込みを入れる為の鋭利な刃物状突起５を外周に配した穴３が設けられており、蓋の切断後はその突起５及び上部全体１が容器を押さえ、固定する。
【発明の効果】
【０００７】  このようにすれば、容器のフィルム状の蓋に切り込みを入れ、容器を固定する事が同時に可能になり、内容物が無駄にこぼれるような事が防止できる。また蓋を切断する際、蓋や内容物のゼリーなどに直接手を触れる必要が無いので手を汚す事も防止できる。
【発明を実施するための最良の形態】
【０００８】  本発明の好適な実施の形態として例示する餌台について、図１ないし４に基づいて説明する。本餌台は、昆虫などが上方より内容物を摂餌可能な寸法を有する穴３及び蓋を切断する為の鋭利な刃物状突起５を穴３の外周から下方向に備えた上部１と、容器を保持する穴４を持つ下部分２とから構成されている。【０００９】  本発明に係る餌台を使用する場合は、薄い小型のプラスチック容器に納められた昆虫用餌ゼリーを本体下部の穴４に設置し、刃５を備えた上部１を下部２との蝶番部分６を中心にして閉じる事により、通常フィルム状であるこのゼリーの蓋を簡単に切り抜き、なおかつ切り終わると同時に上部先端の爪７によって下部２と一体となり、この容器を固定できる。【００１０】  本発明に係る餌台は、木製であれば昆虫がその爪を使って足場を確保できるが、木製の場合は腐食し易く、また量産に際して不利である。更に刃２の部分は木製では困難なので別に作る事になり、コスト高となってしまう。一方プラスチック製の場合は、刃２も含めて一体成型が可能でありコスト面で有利であるが、平坦な表面の餌台では昆虫の爪が引っかからず、摂餌する際に不都合であるので、本体表面には細かい凹凸や穴を多数配する事が望ましい。
【図面の簡単な説明】
【００１１】
【図１】本餌台を横から見た断面図及び上から見た俯瞰図である。
【図２】蝶番によって下部分と一体となるべき上部分を持ち上げ、下部に設けられた穴に容器入りゼリー餌などを挿入する前の状態を示す斜視図である。
【図３】上部分と下部分が重なって上部分の鋭利な突起がゼリーの蓋に穴を穿った後、下部分と一体となって固定されている様子を示す斜視図である。
【図４】本体表面に細かい穴や凹凸を多数配した様子である。
【符号の説明】
【００１２】  １  上部
２  下部
３  上部の穴
４  下部の穴
５  刃物状突起
６  蝶番
７  固定用の爪
【図１】
2006129860.tif 000003
【図２】
2006129860.tif 000004
【図３】
2006129860.tif 000005
【図４】
2006129860.tif 000006
(57)【要約】【課題】  体重の減少または維持を目的とした食事制限ダイエット時に、食欲を抑制し、過食を防止するための食品組成物を提供すること。【解決手段】  ぶどう糖とアスパルテームおよび水から構成された、食欲を抑制する食品組成物。本発明の組成物は、ぶどう糖、アスパルテーム、水の相乗効果により、各々単独では認められなかった即効性の食欲抑制効果が期待できる。【特許請求の範囲】
【請求項１】
ぶどう糖とアスパルテームから成る組成物で、その比率がぶどう糖１００ｇに対してアスパルテーム０．１０ｇから２８．６ｇの範囲である過食防止用食欲抑制食品組成物。
【請求項２】
アスパルテーム、ぶどう糖、および水から成る組成物で、その比率が水１２０ｇに対してアスパルテーム０．１０ｇから２．００ｇ、ぶどう糖７．０ｇから１００．０ｇの範囲である過食防止用食欲抑制食品組成物。
【発明の詳細な説明】
【技術分野】
【０００１】  本発明は、体重の減少または維持を目的とした食事制限ダイエット時において、過食を防止するための低カロリーで、摂取後速やかに食欲を抑制する食品組成物に関する。
【背景技術】
【０００２】  体重の減少または維持を目的としたダイエットにおいては、低カロリー代替食品（例えば特許文献１参照）、糖吸収阻害剤、脂肪吸収阻害剤、代謝促進剤等が用いられる事もあるが、現実的には食事制限と運動によるカロリー消費が基本となっている。
【特許文献１】  特開平１１−３２７２８号  公報
【発明の開示】
【発明が解決しようとする課題】
【０００３】  食事制限ダイエットでは、時として空腹感に起因するドカ喰いと呼ばれる突発的な過食行動が生じる事があり、これに対する有効な対処法が求められている。【０００４】  本発明は、特許文献１に記載された方法とは異なった方法でこの点を解決しようとするものであり、食品素材を用いて即効性の過食防止用食欲抑制組成物の作製を目的とするものである。
【課題を解決するための手段】
【０００５】  上記目的を達成するため、ぶどう糖を摂取し、食欲を調整している血中ぶどう糖濃度を増加させ、さらには、この時使用するぶどう糖に強力な甘味を付与すれば、食物に対する欲求を、より低下させる事が出来るのではないかという独自の発想に基づき研究を行った。その結果、１００ｇ程度のぶどう糖単独の摂取では、食欲の抑制は生じ得ない事が判明したものの、ぶどう糖と高甘味料剤であるアスパルテームを混合し、水に溶解後、摂取した場合、それら単独では得られなかった即効性の食欲抑制作用が発現する事を見出し、本発明をなすに至った。すなわち、本発明は、ぶどう糖とアスパルテーム、あるいは、ぶどう糖とアスパルテームおよび水を含有して成る食欲抑制食品組成物である。
【発明の効果】
【０００６】  食事制限ダイエット時における過食を効果的に抑制できる。特にパンやスナック菓子等のでんぷん質食品に対する嗜好が薄れ、その過剰摂取が防止できる。
【発明を実施するための最良の形態】
【０００７】  予め、適量のぶどう糖とアスパルテームを混合した後、個包装としておく。そして、これを必要に応じて、水に溶解し摂取する。具体的には、ぶどう糖１０ｇに対してアルパルテーム０．１５ｇの比率で混合して成る組成物を大量作製し、これを１０．１５ｇ毎スティック包装する。そして使用時に、このスティック包装を破り、その内容物を容量２００ｍＬ程度のコップに入れ、さらに別途計量カップにて計った１２０ｇの水を加え、混合溶解した後、摂取する。なお、これらの設定値は表１、表２に示した実験結果に基づいて、十分な有効性が得られ、かつカロリー量が最低となる条件を採用した。ちなみに、予め混合するぶどう糖とアスパルテームの至適混合比率の範囲は、表２より、好ましくは、ぶどう糖１００ｇに対してアスパルテーム０．１０ｇから２８．６ｇであるが、より好ましくは、ぶどう糖１００ｇに対してアスパルテーム０．１３ｇから２２．２ｇであると考えられた。また同様に、水、ぶどう糖、アスパルテーム、これら３品の至適混合比率の範囲は、好ましくは、水１２０ｇに対して、ぶどう糖７．０ｇから１００．０ｇ、アスパルテーム０．１０ｇから２．００ｇであるが、より好ましくは、水１２０ｇに対して、ぶどう糖９．０ｇから１００ｇ、アスパルテーム０．１３ｇから２．００ｇであると考えられた。【０００８】
【表１】
2006129859.tif 000002
【０００９】
【表２】
2006129859.tif 000003
【実施例】
【００１０】  効果の確実性を期するため、実験で得られた最少有効配合量の約１．５倍量を用いて実施しな。すなわち、ぶどう糖１５ｇ、アスパルテーム０．２２５ｇを水１８０ｇに混合溶解した水溶液を作製し、これを被験者に摂取してもらい、その食欲抑制作用の有無を調査した。ちなみに、この配合の総カロリー量は約６０ｋｃａｌであり、一般的な成人男子の１日必要カロリー量約２２００ｋｃａｌの１／３０以下である。【００１１】本組成物の食欲抑制作用に関する結果は以下の通りであった。
性別  年齢    体重      身長        効果    備考
男    ４８才  ６５ｋｇ  １７０ｃｍ  有効    摂収後、瞬間的ないし１〜２分で食                                                欲が消失し、約４時間持続した。特                                                に、デンプン質食品に対する欲求が                                                低下した。
女    ４３    ６２      １６２      有効    朝飲むと昼まで空腹感は感じなかっ                                                た。持続時間は約４時間。
男    ３０    ６７      １７１      有効    飲んだ直後から空腹感は無くなった                                                。持続時間は１時間以上。
(57)【要約】      （修正有）【課題】芝の中にまぎれている雑草を回転ドラムに装着したクリップで雑草を引き抜き除草、刈り取る除草機を提供する。【解決手段】回転ドラム５に装着してあるクリップ６の開閉運動により雑草等を引き抜き除草刈り込みができ、クリップ６の構造機能を変えることにより仕事の多様化もはかれるよう構成してあることを特徴とする。【選択図】図２
2006129853.tif 000002
【特許請求の範囲】
【請求項１】
芝に紛れている雑草を回転ドラムと回転ドラムに装着したクリップで引き抜き除草し、刈り取るものである。
【発明の詳細な説明】
【技術分野】
【０００１】  本発明は、芝、畑、水田等で雑草を除去、刈り込むための除草刈り込み機に関するものである。
［背景技術］【０００２】  現在、芝生での除草は、人力で雑草を引き抜くか、除草剤による除草がほとんどである。また、いくつかの除草機もあるが機能的に効果があがらず実践使用上雑草を効率良く引き抜くことができない。時に人力の方が効率が良いのが今の状況である。
［特許文献１］  特開  平５−６８４６０号  公報
［発明の開示］
［発明が解決しようとする課題］【０００３】  本発明は、回転ドラムに装着してあるクリップとで芝生の中の上面部、ランナー部（根部）、芝の地表接面部、地中部等、高低調整ができ、また、クリップの構造は雑草の種類、地表、地質の状況、用途によって変えることができ、雑草を引き抜き除草、また刈り込みするものである。
［課題を解決するための手段］【０００４】  上記課題を解決するために、本発明は、以下の手段の除草機を提供する。
回転ドラムと装着したクリップで雑草を引き抜き、刈り取るものである。
クリップは左右に開き、草、雑草をキャッチした時閉じる仕組みになっている。この場合は、回転ドラムの内側に固定ドラムがセットしてあり雑草のキャッチングポイントを調整することができる。クリップの仕組みはモーター式、回転式だけでなく、電動、空気圧、油圧式等いろいろな仕組みでもできる。回転ドラムも円筒形だけではなく用途によっていろいろな形ができ、利用方法により選べることができる。クリップも形状等いろいろあり装着自由であり同様である。このような構成してあることを特徴とする。
［発明の効果］【０００５】  上述したように本発明の除草機は、芝生等に走らせると回転ドラムに装着してあるクリップが、芝生の上、中、下部、根の間の小さな雑草にも対応、引き抜くことができ、刈り込むこともできる。動力を取り付けることもできるので大型化、スピード化がはかれる。また、芝刈り機と一緒に走行させることもできる。除草剤にたよることなく、人力での草、雑草の除草、管理がしやすくなる。
［発明を実施するための最良の形態］【０００６】  以下、本発明の実施形態について、図面を用いて詳細に説明する。
図１は除草機の切断正面図、図２は除草機の切断側面図、図３は除草機の回転ドラムの正面図、図４は除草機のクリップの側面図である。【０００７】  図１〜図４に基づいて説明する。図１は、車体１の中に軸２が取り付けてあり、外側にはタイヤ３があり、タイヤ３と連動して動く回転ドラム５がある。回転ドラム５の内側に固定ドラム７がある。【０００８】  図２は、この場合回転ドラム５に装着してあるクリップ６が回転ドラム５とタイヤ３と連動し、固定ドラム７の周りをまわる時開閉運動をする。固定ドラム７はネジ１１によって位置等調整、固定ができる。クリップ６の形状、機能はいろいろでき、指で摘むようなソフトタッチ機能もできる。作物等の摘み取り作業もできる。電動、空気圧、油圧式等もできる。【０００９】  図３は、回転ドラム５は円筒形だけでなくいろいろな形状でできる。この場合は円筒形でクリップ６を取り付けるクリップ穴１２とクリップ６を回転ドラム５にネジで装着するためのネジ穴１３がもうけてある。【００１０】  図４は、クリップ６の構造で、この場合はクリッププレート１４のネジ穴１３にネジを差込み回転ドラム５に装着させる。クリップ６には開閉運動の補助としてバネ１５と中心の芯１７がある。先端には、フィットカバー１６が付いていて雑草をしっかり引き抜けるようになっている。クリップ６にはブレード１９を取り付けることもできる。またこれは多数の中の一例であるが、くの字型鎌付きのクリップ６である。雑草の特性により、作物等、その物の特性によりより広く対応可能となる。【００１１】  以上、本発明の実施形態について説明したが、上述の説明に基づいて当業者にとって種々の代替例、修正又は、変形を包含するものである。
【図面の簡単な説明】
【００１２】［図１］除草機の切断正面図
［図２］除草機の切断側面図
［図３］除草機の回転ドラムの正面図
［図４］除草機のクリップの側面図
【符号の説明】
【００１３】  １  車体
２  軸
３  タイヤ
４  ナット
５  回転ドラム
６  クリップ
７  固定ドラム
８  ハンドル
９  ガード
１０  草かご
１１  ネジ
１２  クリップ穴
１３  ネジ穴
１４  クリッププレート
１５  バネ
１６  フィットカバー
１７  芯
１８  鎌
１９  ブレード
【図１】
2006129853.tif 000003
【図２】
2006129853.tif 000004
【図３】
2006129853.tif 000005
【図４】
2006129853.tif 000006
(57)【要約】      （修正有）【課題】芝の中にまぎれている雑草を上下運動をするクリップで雑草を引き抜き除草、刈り取る除草機を提供する。【解決手段】上下運動をするクリップ６の開閉運動により雑草等を引き抜き除草刈り込みができ、クリップ６の構造機能を変えることにより仕事の多様化もはかれるよう構成してあることを特徴とする。【選択図】図１
2006129854.tif 000002
【特許請求の範囲】
【請求項１】
芝に紛れている雑草を上下運動をするクリップで引き抜き除草し、刈り取るものである。
【発明の詳細な説明】
【技術分野】
【０００１】  本発明は、芝、畑、水田等で雑草を除去、刈り込むための除草刈り込み機に関するものである。
［背景技術］【０００２】  現在、芝生での除草は、人力で雑草を引き抜くか、除草剤による除草がほとんどである。また、いくつかの除草機もあるが機能的に効果があがらず実践使用上雑草を効率良く引き抜くことができない。時に人力の方が効率が良いのが今の状況である。
［特許文献１］  特開  平５−６８４６０号  公報
［発明の開示］
［発明が解決しようとする課題］【０００３】  本発明は、上下運動をするクリップで芝生の中の上面部、ランナー部（根部）、芝の地表接面部、地中部等，高低調整ができ、また、クリップの構造は雑草の種類、地表、地質の状況、用途によって変えることができ、雑草を取り引き抜き除草、また刈り込みするものである。
［課題を解決するための手段］【０００４】  上記課題を解決するために、本発明は、以下の手段の除草機を提供する。
上下運動をするクリップで雑草を引き抜き、刈り取るものである。
クリップは降下の際開き、草、雑草をキャッチした時閉じる仕組みになっている。この場合は、移動プレートとクリップとで開閉度、キャッチングポイント等調整することができる。クリップの仕組みはモーター式だけでなく、電動、空気圧、油圧式等いろいろな仕組みでもできる。移動プレートも同様である。用途によっていろいろな形、仕組みができ、利用方法に応じてより選べることができる。クリップも形状等いろいろあり装着自由であり同様である。このような構成してあることを特徴とする。
［発明の効果］【０００５】  上述したように本発明の除草機は、芝生等に走らせると車体に装着してあるクリップが、芝生の上、中、下部、根の間の小さな雑草にも対応、引き抜くことができ、刈り込むこともできる。動力を取り付けることもできるので大型化、スピード化、省力化等がはかれる。また、芝刈り機と一緒に走行させることもできる。除草剤にたよることなく、人力での草、雑草の除草、管理がしやすくなる。他に作物等を始め、色々なものに対応できる。
［発明を実施するための最良の形態］【０００６】  以下、本発明の実施形態について、図面を用いて詳細に説明する。
図１は除草機の切断正面図、図２は除草機（手押し式）の切断側面図、図３は除草機の側面図、図４は除草機の車体の断面側面図、図５は移動プレートの平面図、図６は移動プレートの側面図、図７はクリップの正面図、図８は鎌付クリップの正面図、図９は肥料差込口付クリップの正面図である。【０００７】  図１〜図９に基づいて説明する。図１は、車体１の外側にタイヤ２があり、動力３と連動することもできる。動力３でプーリー４とベルト５でコンロット６に連動し、クランク７を回すことにより移動プレート８の上下運動をさせ、移動プレート８に装着したクリップ９で雑草等をキャッチする。ソフトタッチ機能もできる。作物等の摘み取り作業もできる。電動、空気圧、油圧式等もできる。【０００８】  図２は、この場合手押し式の除草機である。車体１の外側にタイヤ２と内側の歯車１３が連動しクランク７を回し移動プレート８を上下運動させる。【０００９】  図３は、車体１の下部にクリップ９がある。また、ハンドル１２とタイヤ２が車体１に取り付けてある。【００１０】  図４は、除草機の車体１の内部構造である。動力３でプーリー４とベルト５とクランク７で移動プレート８を上下運動させる。【００１１】  図５，図６は移動プレート８でクリップ穴１５とクランク穴１６とクリップ固定ネジ１７がある。【００１２】  図７、図８、図９はクリップ９の構造で、クリップ９を移動プレート８に固定させるためにクリップ差込口１８を設けてある。また、クリップ９の構造はいろいろでき、多目的に利用もできる。肥料、水、殺虫、消毒機能もできる。そのために、鎌１９、肥料差込口２０、スプレー２１機能もできる。タンク１４も取り付けられる。これは多数の中の一例であるが、雑草の特性により、地形地質、また作物等、その物の特性によりより広く対応可能となる。【００１３】  以上、本発明の実施形態について説明したが、上述の説明に基づいて当業者にとって種々の代替例、修正又は、変形を包含するものである。
【図面の簡単な説明】
【００１４】［図１］  除草機の切断正面図
［図２］  除草機（手押し式）の切断正面図
［図３］  除草機の側面図
［図４］  除草機の車体の断面側面図
［図５］  移動プレートの平面図
［図６］  移動プレートの側面図
［図７］  クリップの正面図
［図８］  鎌付クリップの正面図
［図９］  肥料差込口付クリップの正面図
【符号の説明】
【００１５】  １  車体
２  タイヤ
３  動力
４  プーリー
５  ベルト
６  コンロット
７  クランク
８  移動プレート
９  クリップ
１０  バネ
１１  軸
１２  ハンドル
１３  歯車
１４  タンク
１５  クリップ穴
１６  クランク穴
１７  クリップ固定ネジ
１８  クリップ差込口
１９  鎌
２０  肥料差込口
２１  スプレー
【図１】
2006129854.tif 000003
【図２】
2006129854.tif 000004
【図３】
2006129854.tif 000005
【図４】
2006129854.tif 000006
【図５】
2006129854.tif 000007
【図６】
2006129854.tif 000008
【図７】
2006129854.tif 000009
【図８】
2006129854.tif 000010
【図９】
2006129854.tif 000011
(57)【要約】【課題】  本発明は動物、植物用の自動給水装置で長時間に亘り、安定した自動給水が出来る自動給水装置付給水器を提供する。【解決手段】  貯水用自動給水タンクと給水容器が一体化した作りで、自動給水器全体の貯水量は３０００ミリリットルと多量である。そのため給水器の給水時には３キログラムと重量もあり、又、径が２５センチメートルと幅も広い、全体の高さは１０センチメートルと低い作りのため安定した自動給水を長時間に亘り実行する事の出来る自動給水装置付給水器である。【選択図】  図４
2006129851.tif 000002
【特許請求の範囲】
【請求項１】
自動給水装置付給水器の周囲が、リング状・浮き袋形の貯水用．自動給水タンクを形成し、自動給水タンクの内側に空気穴．注水穴を設け、自動給水タンクの内面を給水受け皿とする。
【請求項２】
自動給水器、又は給水タンクの形状は、丸形．角形．Ｕ字形など使用目的に合わせた深さ、広さ、大きさに作成する事の出来る自動給水装置付給水器。
【請求項３】
自動給水タンクの上面、又は下面に給水口．給水タンクの内側に給水受け皿．内側の側面に、空気穴と注水穴を１ヶ所、又は複数ヶ所設けた、請求項１、又は請求項２記載の自動給水装置付給水器。
【発明の詳細な説明】
【技術分野】
【０００１】  本発明は動物．植物用の自動給水に関する。
【背景技術】
【０００２】  例えば従来の家庭内で飼育されている犬、猫、その他のペット用給水器は、一般にステンレス、陶器、プラスチック製で、皿状の容器が多く、接地面は広い作りで工夫はしてあるが、貯水量が５００ミリリットル前後と少なく、特に夏期には、自然蒸発とペットが水飲み中、給水器が軽量の為転びやすく、水切れを起こし困っていた。
【特許文献１】  特開２００４−２１５６１３１
【実用新案登録１】
第３０９９００３号
植物用として【特許文献２】  特開平１１−６９９１９
【発明の開示】
【発明が解決しようとする課題】
【０００３】  従来のペット用の給水器は小型軽量の物が多く、全体の貯水量が５００ミリリットルと少なく安定度も悪く、ペットの水遊びなどで給水器が転び水切れを起こしていた。【０００４】  本発明は、このような従来の給水器の技術を根本的に解決する目的で考案されたもので、貯水量の増量と給水器全体の高さを低く設定する事により安定度の高い自動給水装置付給水器を提供する。
【課題を解決するための手段】
【０００５】  本発明の動物、植物用自動給水装置付給水器は貯水用自動給水タンクと、給水受け皿容器が一体型で形成され給水受け皿内の水位が、ペット又は自然蒸発により空気穴（満水位）以下に減少すれば、空気穴より給水タンク内に空気が流入して、給水タンク内の水は注水穴より給水受け皿容器内に流入し補給され、空気穴まで水位が達した時点で、空気穴が塞がれ注水が止まる構造の自動給水装置で、外部よりの人為的な補助手段を必要としない。
【発明の効果】
【０００６】  給水器全体の貯水量は３，０００ミリリットルとし、リング状給水タンク内側を給水受け皿とする。給水受け皿内の目的の設定満水位の空気穴を開け、同じく空気穴の下部に内径３ミリメートル前後の注水穴を設ける。尚、空気穴、注水穴は使用目的に合った穴を数カ所用意する事もある。この様な構造を備え持つ自動給水装置付給水器を提供する事で長時間に亘り自動給水が実行出来る事で水切れ問題を解決した。
【発明実施の最良の形態】
【０００７】  以下、本発明の形態を図１〜図４に基づいて説明する。
【０００８】  図１は平面図（上面）で１は給水タンク、２は給水受け皿、３は貯水用の給水タンク給水口である。
【０００９】  図２は平面図（裏面）で１は給水タンク、２は給水タンクより注水された水を貯める給水受け皿である。
【００１０】  図３はＡ−Ａ′線断面図で１は給水タンク、２は給水受け皿、３は給水口、４は空気穴（満水位）、５は注水穴、６は給水口栓、７は空気穴栓、８は注水穴栓である。
【００１１】  図４はＢ−Ｂ′線断面図で１は給水タンク、２は給水受け皿、３は給水口、４は空気穴（満水位）、５は注水穴、６は給水口栓、７は空気穴栓、８は注水穴栓である。
【００１２】  本発明の動物、植物用の自動給水装置付給水器の使用前に準備する作業順序を説明する。図３と図４は自動給水に関する重要な部分で、例えばペット用として使用の場合給水タンク１に貯水するために、給水受け皿２内の空気穴４と注水穴５に水漏れのないように各々栓をした後、給水タンク１上部の給水口３の栓を開き、貯水用給水タンク１に給水を行う。給水タンク１内の満水を確認した後、給水口３の栓を締め密閉する。次に給水受け皿２内の空気穴４の満水位の位置まで水を入れた後、空気穴４の栓と注水穴５の栓を取り外し自動給水の準備は完了する。給水準備完了後は目的の所定の位置に置くだけで、長時間に亘り自動給水が出来る自動給水装置付給水器。
【００１３】  植物用として使用する場合では花生けの水盤としても使用できる。自動給水の準備は、ペット用の時と同じで給水受け皿２内に、アレンジ用のオアシス又は生け花用の剣山を置くだけで生け花が出来る。尚、自動給水の効果により長時間に亘り水切れしない生き生きとしたきれいな花を観賞出来る。
【図面の簡単な説明】
【００１４】
【図１】平面図（上面）で給水タンク、給水受け皿、給水口等の外観図
【図２】平面図（裏面）
【図３】貯水用給水タンクのＡ−Ａ′線断面図で給水口と空気穴と注水口の位置を表した図面
【図４】Ｂ−Ｂ′線断面図  貯水用給水タンクに給水する前に必要な空気穴栓と注水穴栓を装着した図面
【符号の説明】
【００１５】１  給水タンク
２  給水受け皿
３  給水口
４  空気穴（満水位）
５  注水穴
６  給水口栓
７  空気穴栓
８  注水穴栓
【図１】
2006129851.tif 000003
【図２】
2006129851.tif 000004
【図３】
2006129851.tif 000005
【図４】
2006129851.tif 000006
(57)【要約】      （修正有）【課題】大起電力を、自己供給的に、自己循環で生産をするシステムを提供する。【解決手段】油圧は、小さな力で、大きな力を得る流体と機械のエネルギーシステムである。この油圧の力を使い、大発電機の重い軸をラクに回すというのが基本である。その起電力の一部を還流させて、油圧ポンプを回すモーターを駆動させれば、始動は別として、稼動中は、自己供給的な自己循環ができる。要は油圧シリンダーをクランクを介して、発電機の駆動にする。シリンダーだから、流量弁により、回転をはやくしても力を強くできる。だから、油圧ポンプを回す小さな力で、大きな発電機の重い軸を、ラクにはやく回せる力を得ることができる。その電力の増殖分の、余剰分で自己供給の自己循環ができる。油がもつ間は運転が継続できる。これは火力や原子力に比べ、消費の可燃物が発電中なくてもすむから、始動の電源は別にして、火力や原子力よりすぐれる。【選択図】図１
2006129682.tif 000002
【特許請求の範囲】
【請求項１】
油圧を介して、発電又は再発電をするシステム
【請求項２】
一たんが、油圧シリンダーと、クランクと、発電機及び、その発電機から、油圧ポンプのためのモーターに導線が結ばれているところの、油圧発電システム又は油圧式再発電システム
【発明の詳細な説明】
【発明の詳細な説明】
【０００１】〔分野〕
電気関係他
【０００２】〔従来〕
「油圧発電」の概念のものはなかった油圧機器は建設用重機などであり、
【０００３】〔課題〕
大きな起電力を、始動はともかく、あとは自己供給で循環的に生産するシステム
請求項１〜３はそれを志向し、又主要は油圧と発電き。
【０００４】〔手段〕
○油圧は、建設用重機その他ですでに活躍しているもので、小さな力を大きな力にかえる、流体と機械のシステムである。この油圧機器（油圧シリンダー）を発電きに利用したものが基本である。そこで小さな力を大きな力にかえる油圧の法則はクランクを介し、油圧ポンプを回す力で、大発電機の大きくて、重い軸（回転子、電きし）を回す事ができるという事であるしかも油圧シリンダーは、はやさをおとさなくともできる。はやめ、かつ力を大きく、を平行してもできる（油の流量調整と弁。クランクの径による。）つまり、油圧ポンプを回す小さな力で、回すには大きな力のいる重い電きしを、ラクに、はやく回せるという事である電力の増殖である。
○重いでんき子をはやく、ラクに回せるという事は大発電きを駆動できるという事で、つまり大きな起電力を得れるという事であるそれは余じょうとして、一部をさいて、還流でき、その導線での還流は、油圧ポンプを回すモーターを駆動させた場合、始動はともかく、稼働中は、電力の、油圧ポンプを回す動力を、自己供給的にできるという事で、つまり自己循環ができるという事である。つまり、稼動中は、油と、油圧ポンプを回す電力を、還流させての、循環であるシステムにする油を冷やすラジエーターの電力も同様である
○油は長くもつし、基本的には油圧機器と発電きのシステムだからいつでも、どこでも、稼動できる（始動力は別だが。）
【０００５】実施例
▲１▼請求項１及び請求項２に関するもの
○基本的には油圧シリンダーをクランクを介して回転にかえ、それで発電機の軸（電き子又は回転子）を回す。
そのための油圧ポンプを回すモーターの駆動は、始動は、別電源又は外力によるしかし稼動後は、その発電機による起電力から、余じょう分としての一部をさき、それを還流し、油圧ポンプの駆動のためのモーターを回す。
つまり、始動は別としての、稼動中は、
「発電機の起電力→一部の還流→モーターの駆動→油圧ポンプの駆動→シリンダーの駆動→クランクの回転→発電機の駆動→発電機の起電力→」の、自己供給的な自己循環である油も、又油の冷却のためのラジエーターの駆動分も同じ循環にはいる
○シリンダーの断面積が大きいほど、油圧の力は大きくなって、より大きな発電きの重い軸をラクに回す。又はやさは、流量調整弁ではやくできる又、クランクの径でも、はやくできるつまり、小さな力を大きくするだけなら、油圧モーターの変速や、又一般の変速系でもできるが、シリンダーとクランクのこの発明は、はやさをおとさずとも、小さな回転力を、大きな回転力にかえれる。
【０００６】〔効果〕
○大発電機の重い軸を、原子力でなくとも油圧でラクに回せるという事である自己循環も可。
この発明は、火力や原子力のように、発電中、消費の可燃物も、始動はともかく、いらないため、火力や原子力よりすぐれる。進歩の要である
又、いつでも、又大起電力もできるため、太陽熱発電にもすぐれる
○又、
「油圧発電」という概念の構成ははじめての独創であり、又大起電力を、始動はともかく、あとは自己供給的な自己循環でするという課題の志向自体、業者の予想のレベルをはるかにこえたものである
【図面の簡単な説明】〔図面１の説明〕
〔図１〕は、請求項１と、請求項２の概念図である
【符号の説明】
１は、モーターの電源又は外力
２は、モーター
３は  油圧ポンプ
４は  油圧シリンダー
５は  クランク
６は  発電機
７は  導線（還流用）
８は  油タンク
【図１】
2006129682.tif 000003
(57)【要約】【課題】薄型壁掛けの大型テレビで番組を観賞しないとき、テレビの前面パネル枠に装飾額縁を装着して、テレビの画面に録画した名画、書、写真などの静止画像を映し出し、映し出された静止画像を一枚の絵画として室内の装飾に利用するものである。【解決手段】テレビ画面に映し出される静止画像を室内の絵画装飾にするために薄型テレビの前面パネル枠の前にガラスを嵌めない装飾額縁を着脱自在に設ける。装飾額縁はテレビ画面に映し出す静止画像が泰西名画には洋風飾りのある装飾額縁、日本画には和風の装飾額縁、写真にはメタル風装飾額縁などに取り替えて静止画像に相応しい装飾額縁を装着する。装飾額縁は装着したままでテレビの番組が見られるようにする。  壁掛けテレビの他従来のテレビに本案の装飾額縁を装着して室内装飾として利用できる【選択図】  図１
2006129412.tif 000002
【特許請求の範囲】
【請求項１】
薄型テレビの前面パネル枠に着脱自在に設けてなるテレビ用装飾額縁。
【発明の詳細な説明】
【技術の分野】
【０００１】    本発明は、テレビの前面パネル枠の装飾に関するものである。
【背景技術】
【０００２】    薄型壁掛けの大型テレビは番組を観賞しない時は電源をＯＦＦにして休止する。休止中のテレビのディスプレイパネルは暗くなり、何にも利用されていない。
【発明の開示】
【発明が解決しようとする課題】
【０００３】    薄型の壁掛け大型テレビで番組を観賞しないとき、テレビの前面パネルに装飾額縁を装着して、テレビの画面に録画した名画、書、写真などの静止画を映し出し、映し出された静止画像を一枚の絵画として室内の装飾に利用するものである。
【課題を解決するための手段】
【０００４】    テレビ画面に映し出される静止画像を室内の装飾にするために壁掛けテレビ（１）の前面パネル枠（２）の前にガラスを嵌めない装飾額縁（３）を着脱自在に設ける。装飾額縁（３）はテレビ画面（４）に映し出す静止画像が泰西名画の場合は洋風飾りのある装飾額縁、日本画の場合には和風の装飾額縁、写真の場合はメタル風装飾額縁等着脱自在に取替えてテレビの静止画像に相応しい装飾額縁にして、室内を装飾し、観賞する。
【発明の効果】
【０００５】    絵画は入れる額縁により一層絵画を引き立てるものである。本案はテレビに映る静止画像に相応しい装飾額縁（３）をテレビの前面パネル枠に装着することで、美術館で本物の芸術的絵画を鑑賞しているような雰囲気になり、テレビが一変して室内の高級美術装飾品になる。
テレビに映し出される静止画像はＤＶＤ等の録画画像であるので、世界の美術館の美術品を録画したＤＶＤをセットすれば、洋画、日本画のほか抽象画、写真などの芸術作品を自宅や会社の応接間等の壁掛けテレビで観賞することが出来る。又自筆の油絵、毛筆の書、写真などオリジナル作品をデジカメで撮りＤＶＤに録画すれば自分作の静止画像をテレビに映して観賞し、室内を飾ることができる。
【発明を実施するための最良の形態】
【０００６】    以下本発明の実施の形態について説明する。
薄型テレビ（１）の前面パネル枠（２）の前にガラスを嵌めない装飾額縁（３）を着脱自在に設けてなり、テレビ画面（４）に映し出される映像が装飾額縁（３）の中に嵌め込まれたように装飾するものである。
本案は主として録画による絵画等をテレビ画面に映し出し、静止画像にして、静止画像に相応しい装飾額縁（３）をテレビの前面パネ枠（２）の前に取り付ける。
静止画像には洋画、日本画、写真などあり、泰西名画には彫刻を施した金色の洋風額縁、日本画には和風額縁、写真にはメタル風額縁など静止画像に相応しい装飾額縁（３）を選び、テレビ前面パネル枠（２）の前に自在に着脱できるようにする。
壁掛け薄型テレビの他テレビ台に置いて見る各種のテレビの前面パネル枠（３）にも本案の装飾額縁（３）を装着できるようにする。
本案はガラスを嵌めない装飾額縁（３）を枠組にて構成し、テレビの正面パネル枠（２）の周辺が隠れるように装飾するとともに、テレビ画面（４）を見るのに支障がないようにする。装飾額縁（３）を装着したままでテレビの番組を見ることができる。
【実施例１】
【０００７】  本発明の装飾額縁（３）は彫刻を施した金色の洋風額縁やシンプルな和風額縁、メタル風額縁など色々数種類の装飾額縁を揃え、客の要望に答えて供給できるようにする。
本案は番組を見ない時のテレビの室内装飾利用法である。
【図面の簡単な説明】
【０００９】
【図１】本発明の正面図
【図２】本発明の側面図
【符号の説明】
【００１０】      １  薄型テレビ
２  薄型テレビ前面パネル枠
３  装飾額縁
４  テレビ画面
５  壁の断面
【図１】
2006129412.tif 000003
【図２】
2006129412.tif 000004
(57)【要約】      （修正有）【課題】パーソナルテレビ時代に相応しいテレビの支持装置を提供する。【解決手段】スタンド型の場合は、伸縮自在なパイプの先に自在に方向変換できる関節からアームを突き出し、このアームの先端に、自在に方向転換できる機構を有し、その先に液晶型テレビを取り付け、視聴者が一番見易い体勢に合わせて調節できる機構としたものである。又、液晶テレビを支持する自在機構部をリモコンにより好きな角度好きな方向などを選べる事も範囲に入る。尚、天井から吊す場合も同様の機構で実現できる。【選択図】図１
2006129409.tif 000002
【特許請求の範囲】
【請求項１】
液晶テレビ等小型テレビを支持する装置において、多関節の方向自在変換装置を有し、個人が自由に最適な位置、方向、角度、距離に可変して視聴可能にしたこ事を特徴としたテレビ支持装置。
【請求項２】
支持する装置の多関節部を自動機構によりリモートコントロルにて可変可能にした事を特徴とした（請求項１）記載のテレビ支持装置。
【発明の詳細な説明】
【産業上の利用分野】
【０００１】  本発明は、一般家庭や病院等で使用される液晶テレビ等小型テレビの支持装置の利便性の改良に関する。
【背景技術】
【０００２】  従来は、ブラウン管式のテレビで重量があり形も大きいため、物入れを兼用したテレビ置き台や単なる台の上に置いて見る事が多い。その為、お休み前に床に入って横向きになりながらテレビを見ると、縦のものを横で見るため大変疲れる。又、極端な場合、画面が急激に変化すると（Ｆ１グランプリ等）気持ちが悪くなり寝付き難くなる。特に老人や病人には不便なものであった。
【発明が解決しようとする課題】
【０００３】  本発明は、小型軽量である液晶型テレビを自在にセット出来るような機構を具備する事により、どの様な状態でも最適に視聴できる事によって、上記の欠点を解消することが課題である。
【課題を解決するための手段】
【０００４】  最近、液晶テレビ技術の発達によってテレビは小型軽量化し、パソコンのモニタは、殆ど液晶型になりつつある。本発明は、これ等に着目し、自分が見たいと思う状態に、位置・角度・距離等を立体的に自在に調節できる機構を具備することによって課題を解決する。最近、パソコンが爆発的に発達した原因に可搬型（ノート型又はラップトップ型）パソコンによるところが大きい。これに使用されているモニタが液晶型で、小型・軽量化・低価格化を可能にしたものである。
最近、夫婦同士や子供達同士でも見るテレビ番組が異なり、１人に１台のテレビ時代、いわゆるパーソナルテレビ（以降パソテレと云う）時代の到来で、視聴の仕方もそれぞれ異なる。高齢者や病人は寝ながら見たい。その時、縦の画像を横になって見ると、視神経に悪いのと交感神経を刺激して不眠になり易い。
本発明のパソテレ用支持装置を使用し、視聴したい番組を入力し眠りたくなる時間にタイマーをセットすれば安心して睡眠につける。但し、液晶型パソテレは画面対して直角に見ないと視覚効率が激減する。その為に、何処にでも置けるスタンド型にし、自在に立体的に方向や角度を変換できる機構を具備する事によって課題を解決するものである。当然、天井から吊す場合も包含する。
【発明を実施するための最良の形態】
【０００５】  以下、本発明の一実施例について図面により説明する。
（図１）１．液晶型パソテレ  ２．スタンドベースでこの中に自動機構のリモコン用電源や制御器１２．を収納  ３．主スタンド  ４．副スタンド  ５．自在関節  ６．主アーム  ７．副アーム  ８．９．はロックつまみで高さや長さなど決まったらロックしておく。１０．アンテナコンセント  １１．電源コンセントでコードは、３．４．スタンド及び６．７．の中を通す。【０００６】  １４．視聴者は、１５．フトンの上で  １６．枕に頭をのせ一番楽な体勢で１．パソテレを見れるように高さ・位置・角度などを最適に調節してして見る。１．パソテレのチャンネルや音量は当然リモートコントロルで行うが、番組予約やスリープタイムＯＮ．ＯＦＦ予約もリモコンでできる。【０００７】  ５．自在関節Ａと１７．自在関節は小型モーター付きにし、リモートコントロルとすることもできる。コストは高くなるが便利なので、身障者や高齢者、病院などで使用する事も出来る。【０００８】  又、（図２）に示す１９．ベース板は、地震などでも安定・安全に視聴出来るように１５．布団の下やベッドの間に挟むものである。尚、１９．ベース板は、滑らないように、植毛などを施す。更に、エアホーンで聞くことも出来る。
【発明の効果】
【０００９】  本発明は、１）パーソナルテレビ（パソテレ）として最適な装置であること。即ち、視聴者が見たい番組を、その時点で一番気楽な姿勢で快適に視聴できる装置であること。２）特に夜間寝る前に予め番組の予約やＯＦＦタイマーの設定をすることによって自然に睡眠状態に入れる。３）縦のテレビを横になりながら見ることは大変疲れることであり、錯覚を起こし易い。本発明では常に正常な視覚で見ることが出来る。４）距離・角度・向きなど自在にリモコンで調節出来るので、高齢者や身障者に最適である。
尚、高コストになるが、自在関節機構部をリモコンで操作できるようにする事も出来る。又、パソテレの性格から音声はエアホーンで聞くことも出来る。
【図面の簡単な説明】
【図１】本発明の基本的な構造を表す側面図
【図２】同上平面図
【符号の説明】
（１）液晶型パーソナルテレビ（パソテレ）
（２）スタンドベース              （３）主スタンド
（４）副スタンド                  （５）自在関節Ａ
（６）主アーム                    （７）副アーム
（１０）テレビアンテナコンセント  （１１）電源コンセント
（１２）制御器                    （１３）リモコンボックス
（１４）視聴者                    （１５）布団
（１６）枕                        （１７）自在関節Ｂ
（１９）ベース板
【図１】
2006129409.tif 000003
【図２】
2006129409.tif 000004
(57)【要約】【課題】  電源の故障時に双方向バスを構成するＬＳＩに貫通電流が流れることを防止できる双方向バス制御回路を提供すること。【解決手段】  電源電圧が供給される回路単位に電源投入を検知したことを知らせる手段と、各回路から検知された信号のうち１つでも検知できなかった場合に双方向バス１に接続する全出力を低電圧レベルとするための制御信号５０を出力する手段と、制御信号５０を使って双方向バス１への出力を強制的に低電圧レベルに固定する手段を有する。【選択図】      図１
2006279403.tif 000002
【特許請求の範囲】
【請求項１】
電源電圧が供給される回路単位に電源投入を検知したことを知らせる手段と、各回路から検知された信号のうち１つでも検知できなかった場合に双方向バスに接続する全出力を低電圧レベルとするための制御信号を出力する手段と、前記制御信号を使って前記双方向バスへの出力を強制的に低電圧レベルに固定する手段を有する双方向バス制御回路。
【発明の詳細な説明】
【技術分野】
【０００１】
本発明は双方向バス制御回路に関する。
【背景技術】
【０００２】
近年のデジタル技術の発展に伴い、電子機器の信頼性向上や構成変更の容易性などから、それぞれ別系統の電源で制御される回路同士が信号のやり取りをおこなうケースが増えている。
【０００３】
例えば、特開平０７−２４９９７３号公報の発明は、図３に示すように、各々別系統の電源から電源電圧が供給される少なくとも２つの回路を具備し、２つの回路間で信号の送受を行う電子機器に関し、特に信号受信側の回路の電源がＯＦＦした場合における信号受信側の回路のラッチアップを防止するように改良した電子機器に関し、電源オフを検出して、３ステートバッファをハイインピーダンスとすることが提案されているが、双方向バスでは、電源オフしていない入力側がフローティングとなり貫通電流が流れるため適用できない。
【０００４】
【特許文献１】特開平０７−２４９９７３号公報
【発明の開示】
【発明が解決しようとする課題】
【０００５】
特開平０７−２４９９７３号公報の発明の電子機器には以下の問題がある。電子機器は、電源オフを検出して、３ステートバッファをハイインピーダンスとすることが提案されているが、双方向バスでは、電源オフしていない入力側がフローティングとなり貫通電流が流れてしまうことである。この問題が発生する原因は、バス上の全ての３ステート出力バッファをハイインピーダンスにしたことに起因する。
【０００６】
本発明の目的は、電源の故障時に双方向バスを構成するＬＳＩに貫通電流が流れることを防止できる双方向バス制御回路を提供することにある。
【課題を解決するための手段】
【０００７】
本発明の双方向バス制御回路は、電源電圧が供給される回路単位に電源投入を検知したことを知らせる手段と、各回路から検知された信号のうち１つでも検知できなかった場合に双方向バスに接続する全出力を低電圧レベルとするための制御信号を出力する手段と、前記制御信号を使って前記双方向バスへの出力を強制的に低電圧レベルに固定する手段を有する。
【発明の効果】
【０００８】
第１の効果は、電源の故障時に双方向バスを構成するＬＳＩに貫通電流が流れることを防止できることにある。その理由は、電源オフを検出して、全ての３ステートバッファを低電圧レベル出力となる様に制御することによる。
【０００９】
第２の効果は、電源故障のみならず、電源とＬＳＩの接続不良やＬＳＩ内の電源接続不良に対しても有効なことにある。その理由は、電源センスを各ＬＳＩから出力しているためである。
【００１０】
第３の効果は、ＬＳＩに不良があった場合に不良箇所の特定を容易におこなえることにある。その理由は、各ＬＳＩ毎に電源センスを出力しているためである。
【発明を実施するための最良の形態】
【００１１】
次に、本発明を実施するための最良の形態について図面を参照して詳細に説明する。
図１は本発明の第１の実施例による双方向バス制御回路の回路図である。双方向バス１を構成するＬＳＩは、他のＬＳＩからの電源センスを入力４０、４１で入力し、自己の電源センスと論理積をとって出力３０、３１、３２で出力する。双方向バス１を構成する全ての電源センスを束ねた制御信号５０を各ＬＳＩの３ステート出力バッファ２０、２１、２２の入力データと論理積をとる。いずれかのＬＳＩに電源が入らないと、制御信号５０は低電圧レベルとなり、バス上の３ステート出力バッファ２０、２１、２２の出力信号をすべて低電圧レベル固定にする。
【００１２】
次に、本発明の第２の実施例について図面を参照して詳細に説明する。図２は、本発明の第２の実施例による双方向バス制御回路の回路図である。第１の実施例においては、双方向バス１を構成するＬＳＩに空き（未使用）がある場合にバスが使えなくなるが、第２の実施例では、双方向バス１を構成する各ＬＳＩからの電源センス出力３０，３１，３２を束ねて論理積をとった制御信号５０で、各ＬＳＩの３ステート出力バッファ２０、２１、２２の入力データと論理積をとる。いずれかのＬＳＩに電源が入らないと、制御信号５０は低電圧レベルとなり、バス上の３ステート出力バッファの出力信号をすべて低電圧レベル固定にする。プルアップ抵抗６０は、双方向バス１を構成するどこかのＬＳＩに空きがあった場合にバスを殺さないように付加され、各ＬＳＩの電源センス出力３０，３１，３２の信号レベルを確定できる抵抗値で作られる。
【産業上の利用可能性】
【００１３】
複数電源から電源電圧が供給される回路を具備し、双方向バスを構成する回路間で信号の送受を行う電子機器であれば本発明を適用できる。
【図面の簡単な説明】
【００１４】
【図１】本発明の第１の実施例による双方向バス制御回路の回路図である。
【図２】本発明の第２の実施例による双方向バス制御回路の回路図である。
【図３】従来技術の回路図である。
【符号の説明】
【００１５】
１    双方向バス
２０、２１、２２    ３ステート出力バッファ
３０、３１、３２    出力
４０、４１、４２    入力
【図１】
2006279403.tif 000003
【図２】
2006279403.tif 000004
【図３】
2006279403.tif 000005